(57)【要約】【課題】  入浴者の異常の程度に応じて、入浴者の気分回復を図ったり、入浴を中止させたりする機能を有し、入浴者の健康状態に応じて安心して入浴を実施することができる浴槽装置を提供する。【解決手段】  入浴者の心拍数を測定する心拍センサと、浴室内の換気をする換気扇と、を具備してなり、前記心拍数が異常となった場合に、前記換気扇を動作させることにより、浴室内の空気を換気する。又は、入浴者の心拍数を測定する心拍センサと、浴槽内の浴湯を排水する自動排水栓と、を具備してなり、前記心拍数が異常となった場合に、前記自動排水栓を動作させることにより、前記浴湯を排水する。【選択図】図１
2005143905.tif 000002
【特許請求の範囲】
【請求項１】
入浴者の心拍数を測定する心拍センサと、浴室内の換気をする換気扇と、を具備してなり、前記心拍数が異常となった場合に、前記換気扇を動作させることにより、浴室内の空気を換気するものであることを特徴とする浴槽装置。
【請求項２】
入浴者の心拍数を測定する心拍センサと、浴槽内の浴湯を排水する自動排水栓と、を具備してなり、前記心拍数が異常となった場合に、前記自動排水栓を動作させることにより、前記浴湯を排水するものであることを特徴とする浴槽装置。
【請求項３】
前記浴湯の温度を測定する湯温センサを浴槽内に具備してなり、前記心拍数に応じて前記湯温を制御するものであることを特徴とする請求項１又は請求項２に記載の浴槽装置。
【請求項４】
前記心拍数が異常となった場合に、外部に報知するものであることを特徴とする請求項１乃至請求項３のいずれかに記載の浴槽装置。
【発明の詳細な説明】
【技術分野】
【０００１】
本発明は、入浴者の心拍数を測定する心拍センサと、浴槽内の浴湯の温度を測定する湯温センサとを浴槽内に具備する浴室装置に関するものである。
【背景技術】
【０００２】
最近、健康のために半身浴と呼ばれる入浴方法が行われている。この入浴方法は、上半身の一部を湯面上に出した状態で比較的長時間入浴するものである。しかし、入浴者の健康状態によっては、長時間入浴していると、健康を害することもあった。また、高齢者にとっても、半身浴であっても長時間入浴することには、注意が必要であった。このことに対する方法として、例えば、特開平１０―１７４６７８号公報や特開平１０―３３６２６号公報には、入浴者の心拍数を測定して、心拍数が異常になると自動的に湯温を低下させる入浴方法が開示されている。
【特許文献１】特開平１０―１７４６７８号公報
【特許文献２】特開平１０―３３６２６号公報
【発明の開示】
【発明が解決しようとする課題】
【０００３】
しかしながら、特開平１０―１７４６７８号公報や特開平１０―３３６２６号公報に開示されている浴槽装置では、入浴者の健康状態の変化に湯温の変化が追従しきれないことがあった。例えば、急に入浴者の心拍数が異常となった場合には、これにあわせて湯温を低下させることは容易ではなかった。また、逆に湯温を変化させる必要がない程度に入浴者の心拍数がわずかに変化する場合もあり、このときには、従来の入浴方法では、対応することが困難であった。
【０００４】
本発明は、かかる事由に鑑みてなしたもので、その目的とするところは、入浴者の健康状態や異常の程度に応じて、入浴状態を制御できる浴槽装置を提供することにある。
【課題を解決するための手段】
【０００５】
上記課題を解決するために、本願発明の浴槽装置は、入浴者の心拍数を測定する心拍センサと、浴室内の換気をする換気扇と、を具備してなり、前記心拍数が異常となった場合に、前記換気扇を動作させることにより、浴室内の空気を換気する。あわせて、浴槽内の浴湯を排水する自動排水栓と、を具備してなり、前記心拍数が異常となった場合に、前記自動排水栓を動作させることにより、前記浴湯を排水する。
【発明の効果】
【０００６】
本願発明の浴槽装置は、入浴者の異常の程度に応じて、換気扇を動作して、浴室内に外部の新鮮な空気を送り込むことにより入浴者の気分回復を図ったり、自動排水栓を動作することにより、浴槽内の湯を排水して、入浴者の入浴を中止させることができるので、入浴者の健康状態に応じて安心して入浴を実施することができる。
【発明を実施するための最良の形態】
【０００７】
本願発明の浴槽装置を図１及び図２に基づいて説明する。まず、本願発明の浴槽装置の浴槽１の上面には、入浴者３の心拍数を測定する心拍センサ４を取り付けている。また、浴槽１の底面には、浴湯２の温度を測定する湯温センサ５と、浴湯２を排水する自動排水栓６を取り付けている。また、浴室内の上部には、室内の空気を換気する換気扇１０を取り付けている。また浴室の外部には、家族や外部セキュリティ会社に入浴者３の異常を報知する報知装置８と、浴槽１内の浴湯２の温度を制御する給湯器制御装置１１とが設けられている。そして、心拍センサ４からの心拍数の測定データと湯温センサ５の湯温測定データに応じて、自動排水栓６、換気扇１０、報知装置８及び給湯器制御装置１１を制御するコントローラ７が設けられている。
【０００８】
以下に、本願発明の浴槽装置の動作について説明する。あらかじめ、入浴者の通常の心拍数を測定しておき、このデータをコントローラ７内のメモリに記憶させておく。まず、入浴者３が浴槽１内の浴湯２につかって、心拍センサ４の上に指等を置くことで、入浴者３の心拍数を測定する。そして、この心拍数が通常の心拍数と比較して、コントローラ７が異常と判断した場合は、浴室内に設けている音声警報装置９によって、「入浴しないで下さい。」というような音声信号を発して、入浴者３に異常を知らせる。次に、心拍数が正常な範囲と判断した場合には、あらかじめコントローラ７に登録しておいた、入浴者３が快適と感じる湯温に、給湯器制御装置１１で浴湯２の温度を調整する。
【０００９】
ここで、心拍センサとしては、図１、２に示した以外のタイプとして、浴湯の内部に取り付けるものや、入浴者の身体に直接取り付けるものが挙げられる。また、図１、２では、自動排水栓６は、１箇所に設置されているが、複数個のものを設置することで、短時間で排水させることができる。さらに、コントローラ７は、浴室内に設置することが多いが、浴室外に設置してもよい。
【００１０】
次に、入浴者３が、浴湯２につかっていて、身体が異常となって、負担となるような心拍数に変化した時の、本願発明の浴槽装置の対応について説明する。まず、心拍センサ４によって測定される心拍数が、わずかに異常値側に変化した場合は、このことをコントローラ７が判断して、換気扇１０をスイッチＯＮして、浴室内に外部の新鮮な空気を送り込むことにより、入浴者３の気分を回復させる。一方、心拍数が、著しく異常値側に変化した場合は、同様にコントローラ７が判断して、自動排水栓６を動作することにより、浴槽１内の浴湯２を排水して、入浴者３の入浴を中止させる。また、心拍数がわずかに異常値側に変化した場合は、音声警報装置９によって心拍数の変化を入浴者３に知らたり、給湯器制御装置１１によって浴湯２の温度を調整する。あわせて、心拍数が著しく異常値側に変化した場合は、報知装置８によって、浴室外にいる家族や外部のセキュリティ会社に通報して、救助してもらうようにする。
【００１１】
本願発明の浴槽装置は、入浴者の心拍数を測定する心拍センサと、浴室内の換気をする換気扇と、を具備してなり、前記心拍数が異常となった場合に、前記換気扇を動作させることにより、浴室内の空気を換気するものであることを特徴としているので、入浴者の心拍数がわずかに異常値側に変化した場合に、換気扇を動作して、浴室内に外部の新鮮な空気を送り込むことにより、入浴者の気分を回復させることができる。
【００１２】
また、入浴者の心拍数を測定する心拍センサと、浴槽内の浴湯を排水する自動排水栓と、を具備してなり、前記心拍数が異常となった場合に、前記自動排水栓を動作させることにより、前記浴湯を排水するものであることを特徴としているので、入浴者の心拍数が著しく異常値側に変化した場合に、自動排水栓を動作することにより、浴槽内の湯を排水して、入浴者の入浴を中止させることができる。
【００１３】
さらに、入浴者の心拍数に応じて湯温を制御することができるので、入浴者の心拍数がわずかに異常値側に変化した場合に、給湯器制御装置によって浴湯の温度を調整することにより、入浴者の気分の回復を促進させることができる。
【００１４】
加えて、入浴者の心拍数が異常となった場合に、外部に報知することを特徴としているので、入浴者の心拍数が著しく異常値側に変化した場合に、報知装置によって、浴室外にいる家族や外部のセキュリティ会社に通報して、救助してもらうようにすることができる。
【００１５】
上述したように、本願発明の浴槽装置は、入浴者の異常の程度に応じて、入浴者の気分回復を図ったり、入浴を中止させたりする機能を有しているので、入浴者の健康状態に応じて安心して入浴を実施することができる。
【図面の簡単な説明】
【００１６】
【図１】本実施形態の浴槽装置を示すブロック図である。
【図２】本実施形態の浴槽装置の上面図である。
【符号の説明】
【００１７】
１        浴槽
２        浴湯
３        入浴者
４        心拍センサ
５        湯温センサ
６        自動排水栓
７        コントローラ
８        報知装置
９        音声警報装置
１０      換気扇
１１      給湯器制御装置
【図１】
2005143905.tif 000003
【図２】
2005143905.tif 000004